(57)【要約】【課題】  予備苗台支柱の外側部に複数段の予備苗台を予備苗載置姿勢と格納姿勢とに切替え可能に支持した移植機の予備苗載置装置において、予備苗台の格納姿勢においてオペレータの視界の妨げとなり難く、また、不測に予備苗台が予備苗載置姿勢に展開することを防止する予備苗載置装置を得る。【解決手段】  最上段の予備苗台１６をその格納姿勢Ｂにおいて予備苗台支柱２１よりも内側に傾倒させ格納姿勢Ｂにある最上段の予備苗台１６の係合部２３に下段の予備苗台の係止部２６を係合させて、下段の予備苗台１６を格納姿勢Ｂに保持するようにした。【選択図】図４
2006262832.tif 000002
【特許請求の範囲】
【請求項１】
走行機体の前側部に予備苗台支柱を立設し、該予備苗台支柱の外側部に複数段の予備苗台を予備苗載置姿勢と格納姿勢とに切替え可能に支持した移植機の予備苗載置装置において、前記最上段の予備苗台をその格納姿勢において予備苗台支柱よりも内側に傾倒させてあることを特徴とする移植機の予備苗載置装置。
【請求項２】
格納姿勢にある最上段の予備苗台の係合部に下段の予備苗台の係止部を係合させて、下段の予備苗台を格納姿勢に保持することを特徴とする請求項１に記載の移植機の予備苗載置装置。
【請求項３】
最上段の予備苗台の係合部をその格納姿勢において上向きに屈曲した鉤形部材で形成すると共に、下段の予備苗台の係止部を予備苗台の苗載置面と裏面とに亘る貫通孔の裏面側外周部に形成し、下段の予備苗台の係止部を最上段の予備苗台の係合部に上方から係合させて、下段の予備苗台を格納姿勢に保持することを特徴とする請求項２に記載の移植機の予備苗載置装置。
【発明の詳細な説明】
【技術分野】
【０００１】
本発明は、走行機体の前側部に設けた複数段の予備苗台を予備苗載置姿勢と格納姿勢とに姿勢変更自在にした移植機の予備苗載置装置に関する。
【背景技術】
【０００２】
走行機体の前側部に予備苗台支柱を立設し、該予備苗台支柱の外側部に複数段の予備苗台を予備苗載置姿勢と格納姿勢とに揺動自在に支持した移植機の予備苗載置装置は既に知られている（特許文献１参照。）。
【０００３】
【特許文献１】特許第３４２６９９８号公報
【発明の開示】
【発明が解決しようとする課題】
【０００４】
前記特許文献１に記載のものは、予備苗台を格納姿勢にするにあたり、上段側の予備苗台に設けた係合部と下段側の予備苗台に設けた係止部を係合させて、下段側の予備苗台が予備苗台支柱との連結点を反力点として上段側の予備苗台を上昇格納姿勢に突っ張り支持するものであるが、このものでは、自ずと最上段の予備苗台の遊端側が機体外方へ突出したものとなり、移植機の路上走行時、又は車庫への格納時等に、最上段の予備苗台が機体前側下方の視界の妨げになる場合があった。
また、前記引用文献１のものは、予備苗台を格納姿勢から予備苗載置姿勢に切替える際に、上段側の予備苗台を上昇姿勢から支柱の方へ若干揺動させるだけで下段側の予備苗台との係合が解除されるものであるため、予備苗台の格納状態で予備苗台に誤って接当すると予備苗台が支柱の方へ揺動し、予備苗台の係合が外れて予備苗台が不測に予備苗載置姿勢に展開してしまう場合があった。
【課題を解決するための手段】
【０００５】
本発明は、走行機体の前側部に予備苗台支柱を立設し、該予備苗台支柱の外側部に複数段の予備苗台を予備苗載置姿勢と格納姿勢とに切替え可能に支持した移植機の予備苗載置装置において、前記最上段の予備苗台をその格納姿勢において予備苗台支柱よりも内側に傾倒させてあることを第１の特徴とする。
【０００６】
また、格納姿勢にある最上段の予備苗台の係合部に下段の予備苗台の係止部を係合させて、下段の予備苗台を格納姿勢に保持することを第２の特徴とする。
【０００７】
さらに、最上段の予備苗台の係合部をその格納姿勢において上向きに屈曲した鉤形部材で形成すると共に、下段の予備苗台の係止部を予備苗台の苗載置面と裏面とに亘る貫通孔の裏面側外周部に形成し、下段の予備苗台の係止部を最上段の予備苗台の係合部に上方から係合させて、下段の予備苗台を格納姿勢に保持することを第３の特徴とする。
【発明の効果】
【０００８】
本発明の移植機の予備苗載置装置は、走行機体の前側部に予備苗台支柱を立設し、該予備苗台支柱の外側部に複数段の予備苗台を予備苗載置姿勢と格納姿勢とに切替え可能に支持した移植機の予備苗載置装置において、前記最上段の予備苗台をその格納姿勢において予備苗台支柱よりも内側に傾倒させてあるので、移植機の路上走行時、又は車庫への格納時等、予備苗台を格納姿勢にした状態で走行する場合であっても、最上段の予備苗台が直立、又は予備苗台支柱の外方に傾倒した状態で保持されているものと比較して機体の前側部下方の視界が良好にひらけているものであるから、移植機の操縦を容易にして障害物等との衝突を未然に回避できる。
【０００９】
さらに、格納姿勢にある最上段の予備苗台の係合部に下段の予備苗台の係止部を係合させて、下段の予備苗台を格納姿勢に保持したので、格納姿勢の予備苗台に誤って接当した場合にも、上段側の予備苗台を下段側の予備苗台に突っ張り支持させていないため、最上段の予備苗台の係合部と次段の予備苗台の係止部の係合は外れ難く、予備苗台が不測に予備苗載置姿勢に展開するのを防止することができる。
【００１０】
そして、最上段の予備苗台の係合部をその格納姿勢において上向きに屈曲した鉤形部材で形成すると共に、下段の予備苗台の係止部を予備苗台の苗載置面と裏面とに亘る貫通孔の裏面側外周部に形成し、下段の予備苗台の係止部を最上段の予備苗台の係合部に上方から係合させて、下段の予備苗台を格納姿勢に保持するので、予備苗台の格納姿勢において、最上段の予備苗台を予備苗載置姿勢側へ揺動するだけで最上段の予備苗台の係合部と下段の予備苗台の係止部との係合が外れ、予備苗台の格納姿勢から予備苗載置姿勢への姿勢変更が容易になるという効果がある。
【発明を実施するための最良の形態】
【００１１】
以下、本発明の実施の形態を図面に基いて説明する。
【００１２】
図１、及び図２において、本発明に係る移植機の一例である乗用型田植機１は、走行機体２の後部に移植作業機３を油圧リンク機構４を介して昇降可能に設けており、走行機体２の下部には左右一対の前輪５ａ，５ａ、と後輪５ｂ，５ｂを備えている。
また、走行機体２の前部には図示しないエンジン、油圧式無段変速装置６、及びトランスミッションケース７を設けており、エンジンから取り出された動力は、油圧式無段変速装置６を介してトランスミッションケース７内の動力伝達装置によって走行動力と、植付動力に分配されて前記前輪５ａ，５ａ、後輪５ｂ，５ｂ、及び移植作業機３に伝達される。
【００１３】
そして、前記移植作業機３は油圧リンク機構４の後端部にローリング軸を介して連結されており、フロート８の姿勢変化に基いて前記油圧リンク機構４を作動して圃場面に追従し、さらに左右往復動する苗載せ台９に載置してあるマット状苗をその下端から植付杆１０で１株づつ掻き取って圃場面に植え付けていく。
【００１４】
一方、走行機体２の上部は機体前部を覆うフロントカバー１１、機体後部を覆うリヤカバー１２、エンジン前部を覆うボンネット１３、ステアリングハンドル下方でエンジン後部を覆うパネルカバー１４等の樹脂製の各種機体カバーを用いて覆われている。
フロントカバー１１の上面には、ボンネット１３側方位置に前部ステップ１１ａが、また、座席Ｓ前方位置にはフロアステップ１１ｂが、また、リヤカバー１２の左右後端部の上面にはリヤステップ１２ａが夫々設けられている。
さらに、リヤカバー１２の後端部には補助ステップ１５が連設されている。
【００１５】
また、走行機体２の前部両側には複数段の予備苗台１６を備える補助苗載置装置１７を設けており、前記苗載せ台９上の苗が少なくなった場合には、オペレータは予備苗載置装置１７から苗を取り出して、前記前部ステップ１１ａ、フロアステップ１１ｂ、リヤステップ１２ａ、及び延長ステップ１５間を歩行して苗載せ台９に予備苗を供給する。
【００１６】
前記予備苗載置装置１７について詳述すると、図１、及び図３において、図中の符号１８はエンジン取付フレーム１９とステップ支持フレーム２０に夫々固定して走行機体２に連結した予備苗台支持フレームであり、この予備苗台支持フレーム１８はパイプ材を正面視において両側に立ち上がらせてＵ字状に、また側面視において前記立ち上がり部を後方に若干偏位させてＬ字状に曲げ加工したものである。
また、前記予備苗台支持フレーム１８の立ち上がり部には予備苗台支柱２１が連結されており、該予備苗台支柱２１の機体外側部に上段と下段の２つの予備苗台１６が取り付けられている。
【００１７】
詳述すると、前記予備苗台１６は合成樹脂によって一体成形されており、図５に示すように予備苗を載置する苗載置面１６ａを有しており、当該苗載置面１６ａの内端部、該内端部に連続する前後端部、及び外端部には予備苗が苗載置面１６ａから不測に落下するのを防止するための壁部１６ｂ，１６ｃが一体成形されている。
また、内端部の壁部１６ｂには予備苗台１６の揺動支点となる揺動支軸２２を挿通可能な孔１６ｄ，１６ｄを備えた二つの膨出部１６ｅ，１６ｅが前後に間隔を隔てて設けられている。
一方、前記予備苗台支柱２１の外側部には前後方向に前記揺動支軸２２を挿通可能な複数の支持管２１ａが熔接されている。
そして、当該支持管２１ａの長さは、前記前後の膨出部１６ｅ，１６ｅの間隔よりも僅かに短く設定されており、前後の膨出部１６ｅ，１６ｅで支持管２１ａを挟み、前記揺動支軸２２を前記前後の膨出部１６ｅ，１６ｅの孔１６ｄ，１６ｄ、および支持管２１ａに挿通し膨出部１６ｅと支持管２１ａの間でＣピン２３を用いて揺動支軸２２の抜け止めを行うことによって、予備苗台１６は予備苗台支柱２１に上下揺動自在に取り付けられている。
【００１８】
また、前記膨出部１６ｅ，１６ｅの間には予備苗台支柱２１が入り込む凹部１６ｆが設けられており、前記予備苗台支柱２１と該凹部１６ｆの対向面１６ｇとが当接することによって、図３に示すように、予備苗台１６が機体外側方に展開した予備苗載置姿勢Ａを保持するように構成されている。
一方、前記複数の支持管２１ａの内、最上段に位置する支持管２１ａの上面と予備苗台支柱２１の間の角部には接当片２１ｂが熔接されており、当該接当片２１ｂと最上段の予備苗台１６の内端部の壁部１６ｂの上面が当接することで、図４、及び図６に示すように、最上段の予備苗台１６はその自重によって予備苗台支柱２１の接当片２１ｂに凭れ掛って、前記予備苗台支柱２１よりも機体内方側に傾倒した状態で保持される
【００１９】
また、図６に示すように、最上段の予備苗台１６の裏面１６ｈの回動基部側には鉤形の係合部２３がリベット２４を用いて取り付けられている。
詳述すると、該係合部２３は弾性鋼板を曲げ加工して形成されており、最上段の予備苗台１６の格納姿勢において、下向きに屈曲して形成した係合面２３ａを備えており、該係合面２３ａの突出端外方には傾斜面２３ｂを備えている。
一方、予備苗台１６の遊端側には苗載置面１６ａから裏面１６ｈに亘る貫通孔２５が設けられており、予備苗台１６の裏面側における当該貫通孔２５の揺動基部側には前記鉤形の係合部２３が係合する係止部としての係止片２６が突出形成されている。
そして、最上段の予備苗台１６を格納姿勢Ｂに切替えた後、下段の予備苗台１６を上方に揺動させると、前記係合部２３の傾斜面２３ａと下段の予備苗台１６の貫通孔２５の内壁が摺接し、係合部２３は弾性変形しながら下段側の予備苗台１６の更なる揺動を許容する。
そして、係合部２３の係合面２３ａが下段の予備苗台１６の貫通孔２５を抜け出ると係合部２３の弾性変形が解かれ、前記係止部２６の先端部と最上段の予備苗台１６の係合部２３の係合面２３ａとが接当することにより係合し、下段の予備苗台１６は機体外方への揺動を規制され、予備苗台１６，１６は図４、及び図５に示すような格納姿勢Ｂを保持する。
【００２０】
このとき、図４に示すとおり、最上段の予備苗台１６は、その遊端部が機体内方に傾斜しているため、オペレータの視点Ｐと最上段の予備苗台１６の遊端とを結んだ線（図５の実線Ｘ）が、外傾状態で支持された場合のもの（図５の一点鎖線Ｙ）と比較して下方に傾斜したものとなり、前側下方の視界が良好になる。
また、この格納姿勢Ｂにおいて機体側方から予備苗台１６，１６に外力がかかっても最上段の予備苗台１６はその自重によって予備苗台支柱２１の接当片２１ｂに凭れ掛って、前記予備苗台支柱２１よりも機体内方側に傾倒した状態で保持されて、以上機体内方へは揺動しない。
それにより前記係合部２３の位置も変化することがないから、下段の予備苗台１６、及びその係止部２６が係合部２３の弾性力に抗して機体内方へ揺動しても、外力がなくなると下段の予備苗台１６は機体外方へ揺動して、再び係止部２６が係合部２３に係合されるので予備苗台１６が不測に予備苗載置姿勢Ａに展開することが防止される。
尚、本実施の形態においては、下段の予備苗台１６の所定以上の機体内方への揺動は、最上段の予備苗台１６の揺動基部側裏面の角部１６ｉと下段の予備苗台１６の苗載置面１６ａとの接当により規制されている。
【００２１】
一方、図７に示す予備苗載置装置１７は本発明の第２実施形態であり、最上段の予備苗台１６の係合部２３が予備苗台１６の格納姿勢Ｂにおいて上向きに屈曲して形成される鉤型となっており、また、予備苗台１６の裏面の係止部２６が貫通孔２５の予備苗台遊端側に設けられているものである。
本実施形態では、下段の予備苗台１６の係止部２６を最上段の予備苗台１６の係合部２３に上方から係合させて、下段の予備苗台１６を格納姿勢Ｂに保持するものであって、予備苗台１６の格納姿勢Ｂにおいて、最上段の予備苗台１６に設けた係合部２３が下段の予備苗台１６に設けた係止部２６を下方から受け止めるように係合しているため、最上段の予備苗台１６を予備苗載置姿勢Ａ側に揺動させると、係合部２３が係止部２６から外れて、それにより、下段の予備苗台１６が自重で揺動して予備苗載置姿勢Ａとなる。
また、本実施形態の格納姿勢Ｂの予備苗台１６，１６に機体側方から外力がかかった場合も同様に、最上段の予備苗台１６、及びその係合部２３の位置は変化することがなく、また、下段の予備苗台１６、及びその係止部２６が機体内方へ揺動しても、外力がなくなると再び係止部２６は係合部２３に係合されるので予備苗台１６，１６が予備苗載置姿勢Ａに展開することが防止される。
【００２２】
以上の通り、本発明の移植機の予備苗載置装置は、走行機体２の前側部に予備苗台支柱２１を立設し、該予備苗台支柱２１の外側部に複数段の予備苗台１６を予備苗載置姿勢Ａと格納姿勢Ｂとに切替え可能に支持した移植機の予備苗載置装置１７において、前記最上段の予備苗台１６をその格納姿勢Ｂにおいて予備苗台支柱２１よりも内側に傾倒させてあるので、移植機の路上走行時、又は車庫への格納時等、予備苗台１６を格納姿勢Ｂにした状態で走行する場合であっても、最上段の予備苗台１６が直立、又は予備苗台支柱２１の外方に傾倒した状態で保持されているものと比較して機体の前側部下方の視界が良好にひらけているものであるから、移植機の操縦を容易にして障害物等との衝突を未然に回避できる。
【００２３】
さらに、格納姿勢Ｂにある最上段の予備苗台１６の係合部２３に下段の予備苗台１６の係止部２６を係合させて、下段の予備苗台１６を格納姿勢Ａに保持したので、格納姿勢Ａの予備苗台１６に誤って接当した場合にも、上段側の予備苗台１６を下段側の予備苗台１６に突っ張り支持させていないため、最上段の予備苗台１６の係合部２３と下段の予備苗台１６の係止部２６の係合は外れ難く、予備苗台１６，１６が不測に予備苗載置姿勢Ａに展開するのを防止することができる。
【００２４】
そして、最上段の予備苗台１６の係合部２３をその格納姿勢において上向きに屈曲した鉤形部材で形成すると共に、下段の予備苗台１６の係止部２６を予備苗台の苗載置面１６ａと裏面１６ｈとに亘る貫通孔２５の裏面側外周部に形成し、下段の予備苗台１６の係止部２６を最上段の予備苗台１６の係合部２３に上方から係合させて、下段の予備苗台１６を格納姿勢Ａに保持するので、予備苗台１６、１６の格納姿勢Ｂにおいて、最上段の予備苗台１６を予備苗載置姿勢Ａ側へ揺動するだけで最上段の予備苗台１６の係合部２３と下段の予備苗台の係止部２６との係合が外れ、予備苗台１６，１６の格納姿勢Ｂから予備苗載置姿勢Ａへの姿勢変更が容易になるという効果がある。
【図面の簡単な説明】
【００２５】
【図１】本発明の予備苗載置装置を備えた移植機の側面図である。
【図２】同上走行機体の平面図である。
【図３】予備苗載置姿勢を示す要部正面図である。
【図４】格納姿勢を示す要部正面図である。
【図５】予備苗台の取付構成を示す斜視図である。
【図６】格納姿勢における要部拡大正面図である
【図７】第２実施形態の格納姿勢における要部拡大正面図である。
【符号の説明】
【００２６】
２    走行機体
１６    予備苗台
１７    予備苗載置装置
２１    予備苗台支柱
２３    係合部
２５    貫通孔
２６    係止部
【図１】
2006262832.tif 000003
【図２】
2006262832.tif 000004
【図３】
2006262832.tif 000005
【図４】
2006262832.tif 000006
【図５】
2006262832.tif 000007
【図６】
2006262832.tif 000008
【図７】
2006262832.tif 000009